(57)【要約】【課題】公知技術の構成では、パンチルト駆動時に被駆動部が形成する略球体状の軌跡部の直上に 取付用設置孔を配設する形態であるので、撮像装置の外形高さの律速要素として該設置孔を考慮する必要があり、更なる小型薄型化を進める上での支障となっていた。【解決手段】撮像装置の取付用設置孔を、外装に略一体的に具備すると共に、パンチルト機構によって駆動される被駆動部の略球体状の軌跡部投影面内で且つ、プリント基板の内径部と略球体状の軌跡部に囲まれるように配設する。【選択図】図３
2013156608.tif 000002
【特許請求の範囲】
【請求項１】
レンズ鏡筒と、パンチルト駆動手段と、前記パンチルト駆動手段によって駆動されると共に前記レンズ鏡筒を所定の位置に駆動するパンチルト機構と、プリント基板と、取付用設置孔を備えた撮像装置において、
前記プリント基板は、円環状に形成されると共に前記撮像装置の非被写体側であるところの底面に平行に配置され、
前記取付用設置孔は、前記撮像装置の外装に一体的に具備されると共に、
前記パンチルト機構によって駆動される前記レンズ鏡筒を含む被駆動部の球体状の軌跡部投影面内で且つ、
前記プリント基板の内径部と、前記球体状の軌跡部、に囲まれるように具備されることを特徴とする撮像装置。
【請求項２】
前記プリント基板は、前記プリント基板の内径部に、前記球体状の軌跡部と前記パンチルト機構のうち少なくとも一つ、が埋設されるように配設されることを特徴とする請求項１に記載の撮像装置。
【請求項３】
前記パン機構は、円環状に形成されると共に、前記パン機構の内径部に前記取付用設置孔を埋設するように配設されることを特徴とする請求項１又は請求項２に記載の撮像装置。
【請求項４】
前記パン機構は、円環状に形成されると共に、前記パン機構の内径部に前記球体状の軌跡部を埋設するように配設されることを特徴とする請求項１乃至請求項３の何れか１項に記載の撮像装置。
【発明の詳細な説明】
【技術分野】
【０００１】
本発明は監視カメラにおける取付用設置孔の配置に関する。
【背景技術】
【０００２】
近年、画像を遠隔的にモニタリングできる監視カメラに於いて、小型薄型化へのニーズが急速に高まっている。その背景としては、被監視者への威圧感の低減、設置場所との親和性向上、設置作業の容易化等への要望がある。一方で、監視カメラを設置する手段として、カメラ側に三脚ネジに代表される設置孔を設けたものが公知技術として数多く知られており、該設置孔から取付用アタッチメントを経由して天井、壁、街灯、ポール等に設置する形態となっている。例えば、特許文献１では、パンチルト駆動時に被駆動部が形成する球体状の軌跡部の直上に、設置孔であるところの三脚ネジ部を配設している。
【先行技術文献】
【特許文献】
【０００３】
【特許文献１】特開２００２−４０５５３号公報
【発明の概要】
【発明が解決しようとする課題】
【０００４】
しかしながら、公知技術の構成では、パンチルト駆動時に被駆動部が形成する略球体状の軌跡部の直上に設置孔を配設する形態であるので、撮像装置の外形高さの律速要素として該設置孔が寄与してくる。上で述べた今後の市場における小型薄型化を鑑みると、撮像装置の筺体内において 該設置孔を如何に配置するかが課題となってくる。
【課題を解決するための手段】
【０００５】
そこで上記課題を解決する為、請求項１記載の撮像装置は、
レンズ鏡筒と、パンチルト駆動手段と、前記パンチルト駆動手段によって駆動されると共に前記レンズ鏡筒を所定の位置に駆動するパンチルト機構と、プリント基板と、取付用設置孔を備えた撮像装置において、前記プリント基板は、略円環状に形成されると共に前記撮像装置の非被写体側であるところの底面に略平行に配置され、前記取付用設置孔は、前記撮像装置の外装に略一体的に具備されると共に、前記パンチルト機構によって駆動される 前記レンズ鏡筒を含む被駆動部の略球体状の軌跡部投影面内且つ、前記プリント基板の内径部と、前記略球体状の軌跡部、に囲まれるように具備されること、を特徴とする。
【発明の効果】
【０００６】
本発明によれば、撮像装置に具備された取付用設置孔が 装置の外形高さの律速要素とならず、即ち撮像装置の外形高さを、被駆動部の略球体状の軌跡部 と外装で決める構成も可能となり公知技術に対し大幅な小型薄型化を実現できる。
【図面の簡単な説明】
【０００７】
【図１】本発明を適用した監視カメラの外観図
【図２（ａ）】本発明を適用した監視カメラの分解図（その１）
【図２（ｂ）】本発明を適用した監視カメラの分解図（その２）
【図３】本発明を適用した監視カメラの断面図
【発明を実施するための形態】
【０００８】
以下添付図に従って、本発明を撮像装置であるところの監視カメラに適用した場合の実施形態について詳説する。
【０００９】
図１は本発明を適用した監視カメラの外観図であり、上カバー１０１、下カバー１０２、レンズ鏡筒２０１の前面に配設された透明性を有するドームカバー１０３、から構成される。ドームカバー１０３は上カバー１０１に対し溶着等の手段で保持されている。
【００１０】
図２（ａ）、（ｂ）は本発明を適用した監視カメラの本体構成を示す分解斜視図、図３は断面図である。プリント基板２０６には、画像処理回路、ネットワーク処理回路、メモリ、電源系ＩＣ、外部接続端子等が実装されており、略円環状に形成されると共に下カバー１０２に対し略平行に配設されている。ここで２０６−ａは略円環状に形成されたプリント基板２０６の内径部を示している。
【００１１】
２１０はレンズ鏡筒２０１を含む被駆動部とプリント基板２０６を電気的に接続するハーネスである。２１１は上カバー１０１とプリント基板２０６の間に配設されるカバー部材であり、パンチルト駆動時に、ハーネス２１０が、該カバー部材２１１と上カバー１０１裏面との間を這動するように構成されている。また、カバー部材２１１は、プリント基板２０６と共に 下カバー１０２に具備された１０２−ｂ部に対し螺子により保持されている。上カバー１０１も同様に、下カバー１０２に具備された１０２−ａ部に対し螺子により保持されている。
【００１２】
２０３はレンズ鏡筒２０１を水平方向に駆動するためのパン駆動手段であり、先端にはウォームギヤが具備されている。２０２はパン機構部であり、パン駆動手段に具備されているウォームギヤと噛み合うヘリカルギヤ２０２−ａ、及びレンズ鏡筒２０１を揺動方向に軸支する支持部材２０２−ｂから構成される。ここで、ヘリカルギヤ２０２−ａは略円環状に、支持部材２０２−ｂは 略コの字且つ円環状に形成されると共に、ヘリカルギヤ２０２−ａと支持部材２０２−ｂは螺子等の手段により固定されている。また、パン部の回転中心であるところのパン軸Ｐは、下カバー１０２の底面に対し略垂直とする。
【００１３】
パン機構部２０２は、下カバー１０２に設けられた係止爪部３０３と摺動性を備えた第一の突状部３０２によって スラスト方向に挟持されると共に、円周状に形成され摺動性を備えた第二の突状部３０４によって、パン軸Ｐに対し回動可能に軸支されている。
【００１４】
２０５はレンズ鏡筒２０１を垂直（揺動）方向に駆動するためのチルト駆動手段であり、先端にはウォームギヤが具備されている。２０４はチルト機構部であり、チルト駆動手段に具備されているウォームギヤと噛み合うヘリカルギヤ部を有する段付きギヤ、段付きギヤに形成された平歯ギヤ部と噛み合う第一の球体部材２１２の平歯ギヤ部３０６、ギヤを軸支・保護する蓋部材２１４、から構成される。第一の球体部材２１２、第二の球体部材２１３はレンズ鏡筒２０１及び撮像素子等を実装したプリント基板３０１を包含するように形成され、第一の球体部材２１２には、チルト部の回転中心であるところのチルト軸部３０５と前述の平歯ギヤ部３０６が具備され、第二の球体部材は該第一の球体部材に対し螺子・係止部等の手段により保持されている。尚、チルト軸Ｔはパン軸Ｐに対し略直交する形態としている。
【００１５】
３００は、請求項１記載の取付用設置孔であるところの三脚ネジ穴部であり、本実施例では下カバー１０２に一体的に形成されている。三脚ネジ穴部を別部材として設け、該下カバー１０２に保持する形態をとっても良いのは言うまでもない。
【００１６】
請求項１記載の略球体状の軌跡部とは、パンチルト駆動時に 第一の球体部材２１２及び第二の球体部材２１３が描く回転軌跡を示している（球体軌跡部２０７）。三脚ネジ穴部３００は、該球体軌跡部２０７の投影面内で 尚且つ プリント基板の内径部２０６−ａと球体軌跡部２０７に囲まれるように配設されており、本構成により三脚ネジ穴部３００を実質的に装置の外形高さの律速要素から除外することが可能となる。
【００１７】
また、プリント基板２０６は、該プリント基板の内径部２０６−ａに、球体軌跡部２０７、パン機構部２０２、パン駆動手段２０３が埋設されるように配設され、更に前述の 略円環状に形成されたパン機構部２０２は、該内径部に三脚ネジ穴部３００と、球体軌跡部２０７が埋設されるように配設されている。これにより、前述の三脚ネジ穴部３００に加え プリント基板２０６及びパン機構部２０２も外形高さの律速要素として考慮する必要が無くなる。
【００１８】
以上により、三脚ネジ穴部３００を撮像装置の外形高さの律速要素とすることなく、外形高さを球体軌跡部２０７と下カバー１０２、ドームカバー１０３のみで決める形態が可能となり、装置の小型薄型化に大きく寄与する。
【００１９】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００２０】
２０１      レンズ鏡筒
２０２      パン機構部
２０３      パン駆動手段
２０４      チルト機構部
２０５      チルト駆動手段
２０６      プリント基板
２０６−ａ  内径部
２０７      球体軌跡部
３００      取付用設置孔
【図１】
2013156608.tif 000003
【図２（ａ）】
2013156608.tif 000004
【図２（ｂ）】
2013156608.tif 000005
【図３】
2013156608.tif 000006